(57)【要約】 【課題】利便性の向上を図ることができる電子機器を提供する。【解決手段】一つの実施形態によれば、電子機器は、機器外部のスイッチによって交流電源の供給及び遮断が切り替え可能な電子機器であって、前記交流電源の供給の有無を判定する判定部と、前記スイッチの導通状態を検出する検出部と、前記交流電源とは異なる第２電源と、出力部と、制御部とを備える。前記制御部は、前記判定部及び前記検出部の出力に基づいて、前記出力部に供給する電力を少なくとも、遮断するか、前記交流電源から供給するか、または前記第２電源から供給するか、のいずれかにする。【選択図】図４
2015228735.tif 000002
【特許請求の範囲】
【請求項１】
機器外部のスイッチで交流電源の供給及び遮断が切り替え可能な電子機器であって、
前記交流電源の供給の有無を判定する判定部と、
前記スイッチの導通状態を検出する検出部と、
前記交流電源とは異なる第２電源と、
出力部と、
前記判定部及び前記検出部の出力に基づいて、前記出力部に供給する電力を少なくとも、遮断するか、前記交流電源から供給するか、または前記第２電源から供給するか、のいずれかにする制御部と、
を備えた電子機器。
【請求項２】
請求項１の記載において、
該電子機器は、前記スイッチが途中に設けられて前記交流電源から電力が供給される電源供給線に接続され、
前記検出部は、前記交流電源の供給が無いと前記判定部が判定した状態で、前記電源供給線を介して前記スイッチの導通状態を検出する電子機器。
【請求項３】
請求項２の記載において、
前記検出部は、前記電源供給線に所定電圧を加えるとともに、前記電源供給線の電位を検出することで前記スイッチの導通状態を検出する電子機器。
【請求項４】
請求項３の記載において、
前記制御部は、前記電源供給線の電位の状態に基づいて、前記出力部に供給する電力を、遮断するか、前記交流電源から供給するか、または前記第２電源から供給するか、のいずれかにする電子機器。
【請求項５】
請求項４の記載において、
前記制御部は、前記所定電圧による電位を前記検出部が検出するときに前記出力部への電力の供給を遮断し、前記交流電源の供給が無い状態で前記所定電圧による電位を前記検出部が検出しないときに前記出力部に前記第２電源から電力を供給する電子機器。
【請求項６】
請求項３乃至請求項５のいずれかの記載において、
前記検出部は、前記所定電圧に比べて前記電位の検出結果が所定以上低い場合に、前記スイッチが導通状態にあることを判定する電子機器。
【請求項７】
請求項３乃至請求項６のいずれかの記載において、
前記電源供給線は、ホット線と、アース線とを含み、前記スイッチは、少なくとも前記ホット線を導通または遮断し、
該電子機器は、
前記ホット線及び前記アース線に接続される電源線と、
前記検出部が前記電源線を介して前記ホット線に前記所定電圧を加えるときに、前記電源線と前記アース線との間の導通状態を変更するスイッチング素子と、
をさらに備えた電子機器。
【請求項８】
請求項２の記載において、
前記電源供給線に接続される電源線をさらに備え、
前記検出部は、
前記電源線の途中に設けられ、前記交流電源が無いと前記判定部が判定したときに開放されるリレーと、
前記リレーと前記スイッチとの間で前記電源線を所定電位に設定する電位設定部と、
前記電位設定部が設定した電位に基づいて前記スイッチの導通状態を検出する電位検出部とを有した電子機器。
【請求項９】
請求項８の記載において、
前記電位設定部は、前記第２電源から電力が供給される電子機器。
【請求項１０】
請求項８または請求項９の記載において、
前記判定部は、前記電源線の電圧変化を検出する電圧変化検出部を有し、所定時間内の前記電圧変化を検出することで前記交流電源の供給の有無を判定する電子機器。
【請求項１１】
請求項１０の記載において、
前記電位検出部及び前記電圧変化検出部は、
前記電源線に接続された抵抗と、
前記抵抗を流れる電流を検出して検出信号を前記制御部に出力するフォトカプラとを共用した電子機器。
【請求項１２】
請求項１１の記載において、
前記抵抗の抵抗値は、前記交流電源の供給がある状態に比べて、前記交流電源の供給が無い状態で小さくなるように前記制御部によって可変制御される電子機器。
【請求項１３】
請求項８乃至請求項１２のいずれかの記載において、
前記電源供給線は、ホット線と、アース線とを含み、前記スイッチは、少なくとも前記ホット線を導通または遮断し、
前記電源線は、前記判定部及び前記検出部が接続された第１ラインと、該第１ラインとは異なる第２ラインとを含み、
該電子機器は、前記第１ラインを前記ホット線に接続し、前記第２ラインを前記アース線に接続するように前記電源線を切り換える極性切替部をさらに備えた電子機器。
【請求項１４】
請求項１３の記載において、
前記制御部は、前記電源線に加わる電圧レベルに応じて前記極性切替部を自動的に切り替える電子機器。
【請求項１５】
請求項１乃至請求項１４のいずれかの記載において、
前記出力部は、発光部である電子機器。
【請求項１６】
請求項１５の記載において、
前記制御部は、前記交流電源から電力が供給される状態では第１発光モードで発光し、前記第２電源から電力が供給される状態では第２発光モードで発光するように前記発光部を制御する電子機器。
【請求項１７】
請求項１６の記載において、
前記第２発光モードは、前記発光部を少なくとも１回点滅させる動作を含む電子機器。
【請求項１８】
スイッチを介して接続される商用電源により駆動可能であるとともに、第２電源による駆動も可能である電子機器であって、
前記商用電源からの電圧の有無及び前記スイッチの状態に応じて駆動電源を制御する制御手段を備えた電子機器。
【請求項１９】
請求項１８の記載において、
前記制御手段は、
前記スイッチが導通状態であり、前記商用電源からの電圧がある場合、前記商用電源を駆動電源とし、
前記スイッチが導通状態であり、前記商用電源からの電圧が無い場合、前記第２電源を駆動電源とし、
前記スイッチが非導通状態である場合、駆動電源を遮断する電子機器。
【請求項２０】
請求項１９の記載において、
前記制御手段は、
前記商用電源からの電圧が無い場合、前記スイッチを介して前記商用電源に接続されるラインを所定電圧とする設定部と、
前記ラインの電圧を測定し、前記商用電源の電圧、前記所定電圧、あるいは他の電圧のいずれかである測定結果を出力する測定部と、
前記ラインの途中に設けられ、前記測定部の測定結果が前記商用電源の電圧である場合に導通状態にされるスイッチング素子と、
を備えた電子機器。
【請求項２１】
機器外部のスイッチで交流電源の供給及び遮断が切り替え可能な電子機器であって、
発光部と、
前記交流電源とは異なる第２電源と、
前記交流電源の供給が無い状態で前記スイッチが導通状態にあるときに、前記スイッチの導通状態を検出して前記第２電源から前記発光部に電力を供給するとともに、平常時の第１発光モードとは異なる第２発光モードで前記発光部を発光させる制御部と、
を備えた電子機器。
【請求項２２】
請求項２１の記載において、
前記第２発光モードは、前記発光部を少なくとも１回点滅させる動作を含む電子機器。
【請求項２３】
機器外部のスイッチで交流電源の供給及び遮断が切り替え可能な電子機器であって、
前記交流電源の供給の有無を判定する判定部と、
前記スイッチの導通状態を検出する検出部と、
前記交流電源とは異なる第２電源と、
前記交流電源の供給が無い状態で前記スイッチが導通状態にされたときに、前記判定部及び前記検出部の出力に基づいて前記第２電源から該電子機器に電力を供給する制御部と、
を備えた電子機器。
【発明の詳細な説明】
【技術分野】
【０００１】
本発明の実施形態は、電子機器に関する。
【背景技術】
【０００２】
例えば停電時にバッテリから電力が供給される電子機器が提案されている。
【先行技術文献】
【特許文献】
【０００３】
【特許文献１】特開２０１１−１１９１３６号公報
【特許文献２】特開２０１４−２９０４号公報
【特許文献３】特開２０１３−１２５７０９号公報
【発明の概要】
【発明が解決しようとする課題】
【０００４】
本実施形態は、利便性の向上を図ることができる電子機器を提供する。
【課題を解決するための手段】
【０００５】
実施形態によれば、電子機器は、機器外部のスイッチによって交流電源の供給及び遮断が切り替え可能な電子機器であって、前記交流電源の供給の有無を判定する判定部と、前記スイッチの導通状態を検出する検出部と、前記交流電源とは異なる第２電源と、出力部と、制御部とを備える。前記制御部は、前記判定部及び前記検出部の出力に基づいて、前記出力部に供給する電力を少なくとも、遮断するか、前記交流電源から供給するか、または前記第２電源から供給するか、のいずれかにする。
【図面の簡単な説明】
【０００６】
【図１】第１実施形態に係る電子機器の一例を示す正面図。
【図２】図１中に示された電子機器のＦ２−Ｆ２線に沿う断面図。
【図３】図１中に示された電子機器の導光部の機能を模式的に示す断面図。
【図４】図１中に示された電子機器のシステム構成例を示す図。
【図５】図１中に示された電子機器のシステム構成例を示す図。
【図６】図５中に示されたプルアップ回路及び電圧監視回路の一例を示す図。
【図７】図５中に示されたプルアップ回路及び電圧監視回路の変形例を示す図。
【図８】図１中に示された電子機器の動作状態を示す図。
【図９】図１中に示された電子機器の動作状態を示す図。
【図１０】図１中に示された電子機器の動作状態を示す図。
【図１１】図１中に示された電子機器の動作状態を示す図。
【図１２】図１中に示された電子機器の動作状態を示す図。
【図１３】図１中に示された電子機器のシステム構成の第１変形例を示す図。
【図１４】図１中に示された電子機器のシステム構成の第２変形例を示す図。
【図１５】図１中に示された電子機器のシステム構成の第３変形例を示す図。
【図１６】図１中に示された電子機器のシステム構成の第４変形例を示す図。
【図１７】図１中に示された電子機器のシステム構成の第４変形例を示す図。
【図１８】図１中に示された電子機器のシステム構成の第５変形例を示す図。
【図１９】第２実施形態に係る電子機器のシステム構成例を示す図。
【図２０】図１９中に示された電子機器のシステム構成の変形例を示す図。
【図２１】図２０中に示された電子機器の一例を示す正面図。
【図２２】第３実施形態に係る電子機器のシステム構成例を示す図。
【図２３】第４実施形態に係る電子機器の一例を示す断面図。
【図２４】第５実施形態に係る電子機器の一例を示す斜視図。
【図２５】第６実施形態に係る電子機器のシステム構成例を示す図。
【発明を実施するための形態】
【０００７】
以下、図面を参照して実施形態について説明する。  
本明細書では、いくつかの要素に複数の表現の例を付している。なおこれら表現の例はあくまで例示であり、上記要素が他の表現で表現されることを否定するものではない。また、複数の表現が付されていない要素についても、別の表現で表現されてもよい。
【０００８】
（第１実施形態）  
図１乃至図１２は、第１実施形態に係る電子機器１を示す。図１は、電子機器１の外観を示す。本実施形態に係る電子機器１は、例えば照明装置である。なお本実施形態に係る構成は、照明装置に限らず、例えば換気扇や送風機など種々の電子機器に広く適用可能である。
【０００９】
電子機器１は、例えば室内の天井などに設けられたソケットに装着されて使用されるＬＥＤ（Light Emitting Diode）ランプである。なお、電子機器１は、ＬＥＤランプに限らず、例えばハロゲンランプや白熱電球、蛍光灯などでもよく、特に限定されるものではない。
【００１０】
図２は、電子機器１の断面を示す。電子機器１は、グローブ１１、口金１２、発光部１３、電源ユニット１４、バッテリ１５、及び制御ユニット１６を備える。なお以下の説明では、室内の天井に設けられたソケットに装着された電子機器１の姿勢を基準とし、重力方向を下側、天井方向を上側と定義する。
【００１１】
グローブ１１は、電子機器１が照明として機能する際に、表面から光を照射する。グローブ１１は、伝熱部材２１と、導光部２２とを有する。  
伝熱部材２１は、例えば図２に示すような一般的な電球形状を有する。詳しく述べると、伝熱部材２１は、球状の頭部２１ａと、円錐台形状の胴部２１ｂとが一体に形成されている。伝熱部材２１の内部は、例えば中空に形成されている。胴部２１ｂの一端は、伝熱部材２１の内部の空間を外部に通じさせる開口を有する。伝熱部材２１の材質は、例えばアルミニウムなど熱伝導性に優れた金属材料が好ましい。伝熱部材２１は、発光部１３が発する熱を伝熱部材２１の内部で熱伝導するとともに、一部の熱を導光部２２に伝える。
【００１２】
導光部２２（導光部材）は、伝熱部材２１の外形に沿って伝熱部材２１を覆う。導光部２２は、例えばガラスや合成樹脂など光透過性を有した部材であり、その内部で光を導光する。導光部２２の形状は、伝熱部材２１と同様に、球状の頭部２２ａと、円錐台形状の胴部２２ｂとを有する。導光部２２の外面または内面には、シルク印刷や切り込みなどによって光を散乱させる散乱マークが例えば全面に亘って設けられている。
【００１３】
発光部１３（光源）は、例えばＬＥＤなどの発光素子１３ａを少なくとも１つ含む。図２に示すように、発光素子１３ａは、例えば口金１２の端面及び伝熱部材２１の外面に設けられ、導光部２２に接する。換言すれば、発光素子１３ａは、導光部２２の内部に位置し、導光部２２の内部に光を照射する。なお、発光部１３は、１つ以上の発光素子１３ａを有した基板でもよい。発光部１３は、電子機器１の「負荷部」及び「出力部」の其々一例である。
【００１４】
図３は、導光部２２の機能を模式的に示す。発光部１３から照射された光は、導光部２２の内部を直進または屈折する。このうち導光部２２と外部空間との界面において全反射条件を満たす光は、導光部２２と外部空間との界面、及び導光部２２と伝熱部材２１との界面において全反射を繰り返しながら、導光部２２内を導光（伝播）していく。
【００１５】
散乱マークにより散乱され、上記全反射条件を満たさない光は、導光部２２と外部空間との界面において全反射することなく、導光部２２から外部空間に照射される。これにより、導光部２２の外面、すなわちグローブ１１の表面全体から光が照射される。
【００１６】
図２に示すように、口金１２は、電子機器１をソケットに例えば螺合などで固定する際の、電気的かつ機械的な接続部分である。口金１２は、中空に形成されるとともに、ソケットに装着されるためのめねじ、またはおねじが表面に設けられている。口金１２の材質は、アルミニウムなど導電性を有した金属材料が好ましい。
【００１７】
なお本実施形態では、グローブ１１と口金１２とによって、電子機器１の筐体２４（ケース）の一例が形成されている。電源ユニット１４、バッテリ１５、及び制御ユニット１６は、筐体２４の内部に収容されている。本実施形態では、バッテリ１５及び制御ユニット１６は、グローブ１１の内部に位置する。なお上記構成に代えて、バッテリ１５及び制御ユニット１６は、口金１２の内部に位置してもよい。また電源ユニット１４は、グローブ１１の内部に位置してもよい。
【００１８】
図２に示すように、バッテリ１５は、グローブ１１の内部において、例えば電源ユニット１４及び制御ユニット１６よりも下方に位置する。バッテリ１５は、充電時及び放電時に発熱する部品である。ここで、電子機器１の周囲を流れる空気は、電子機器１によって暖められ、自然対流により重力と逆方向（すなわち上向き）に流れる。このため、バッテリ１５が電子機器１の内部でなるべく下方に設けられていると、より冷たい空気によって放熱が促進されやすく、電子機器１の温度上昇を抑制しやすい。
【００１９】
次に、電源ユニット１４、バッテリ１５、及び制御ユニット１６を含む電子機器１のシステム構成について説明する。図４は、電子機器１のシステム構成を模式的に示す。なおここでは、電子機器１が一般的な家屋内配線に接続される場合を例に説明する。
【００２０】
図４に示すように、家屋内配線（以下、電源供給線３１）は、外部の交流電源３２から電力が供給される。交流電源３２は、「第１電源」、「外部電源」、及び「商用電源」の其々一例である。交流電源３２は、例えば家屋外の電信柱に設けられた柱上変圧器３３（トランス）によって６６００Ｖなどの高電圧が交流１００Ｖ、または交流２００Ｖに変換され、屋内の電源供給線３１に供給される。
【００２１】
本実施形態の電子機器１は、例えばソケットなどを介して電源供給線３１に接続され、電源供給線３１を介して交流電源３２から電力が供給される。なお、電子機器１は、ソケットなどに代えて、例えばスイッチ付きの器具（例えば延長コードやタップ）とコンセントを介して電源供給線３１に接続されてもよい。なおこの場合、上記スイッチは、後述の壁スイッチ３４のように「機器外部に設けられたスイッチ」の一例に該当する。
【００２２】
図４に示すように、電源供給線３１は、例えば、ホット線３５（第１配線、第１電線）、コールド線３６、及びアース線３７（グラウンド線、第２配線、第２電線）を有する。なお、電源供給線３１は、ホット線３５と、アース線３７の２本のみを有してもよい。この場合、アース線３７は、コールド線と称されてもよい。換言すると、「第１配線」（第１電線）は、実際の電力（電圧）が供給される電線である。「第２配線」（第２電線）は、グラウンド電位となる電線である。
【００２３】
電源供給線３１の途中には、スイッチ３４（マニュアルスイッチ）が設けられている。スイッチ３４は、「機器外部に設けられたスイッチ」の一例であり、電子機器１の外部に位置する。スイッチ３４は、例えば屋内の壁面に設けられた壁スイッチであり、屋内で操作可能である。電源供給線３１は、スイッチ３４によって交流電源３２の供給及び遮断が切り替えられる。
【００２４】
電子機器１は、電源供給線３１に接続されてスイッチ３４によって交流電源３２の供給及び遮断が切り替えられる機器の一例である。スイッチ３４は、例えばユーザが手動で操作可能である。
【００２５】
スイッチ３４の一例は、ホット線３５及びアース線３７のうち、ホット線３５のみを導通もしくは遮断する片切りタイプである。なお、スイッチ３４は、後述の図２２で示すように、ホット線３５とアース線３７の両方を導通もしくは遮断する両切りタイプでもよい。またスイッチ３４は、壁スイッチに限らず、例えば天井から垂れ下がったヒモ付きのスイッチでもよく、またはその他のタイプのスイッチでもよい。
【００２６】
なお、以下では説明の便宜上、スイッチ３４を「壁スイッチ３４」と称する。また説明の便宜上、ホット線３５の第１部分３５ａと第２部分３５ｂとを定義する。第１部分３５ａは、ホット線３５のなかで壁スイッチ３４と交流電源３２との間に位置する部分である。第２部分３５ｂは、ホット線３５のなかで壁スイッチ３４と電子機器１との間に位置する部分である。
【００２７】
図４に示すように、電子機器１は、電源供給線３１に電気的に接続される電源線４１を有する。電源線４１は、第１ライン４２（第１電源線）と、第２ライン４３（第２電源線）とを含む。第１ライン４２は、電源供給線３１のホット線３５に電気的に接続される。すなわち、第１ライン４２は、スイッチ３４を介して交流電源３２に接続される。第１ライン４２の端部には、ホット線３５に接続される第１接続部４４（第１端子部）が設けられている。第１接続部４４は、例えば口金１２の端面（底面）の中央部に設けられる。
【００２８】
第２ライン４３は、電源供給線３１のアース線３７に電気的に接続される。第２ライン４３の端部には、アース線３７に接続される第２接続部４５（第２端子部）が設けられている。第２接続部４５は、例えば口金１２の外周面に設けられる。
【００２９】
電子機器１は、上述のように、電源ユニット１４、バッテリ１５、及び制御ユニット１６を有する。電源ユニット１４は、トランス４７と、整流器４８（整流部）とを含む。電源線４１の第１ライン４２と第２ライン４３は、トランス４７において繋がっている。トランス４７は、電源線４１及び電源供給線３１を介して交流電流が供給される。整流器４８は、トランス４７に供給された交流電流を直流電流に変換する。
【００３０】
バッテリ１５は、「第２電源」の一例であり、電子機器１の内部に設けられた内部電源（二次電池）である。バッテリ１５は、例えば整流器４８が整流した直流電流を利用して充電され、必要時に電子機器１に電力を供給可能である。
【００３１】
電源ユニット１４は、さらに電源切替部４９（電源切替回路）を有する。電源切替部４９は、整流器４８及びバッテリ１５と、発光部１３との間に位置する。電源切替部４９は、制御ユニット１６からの制御信号に基づき、発光部１３に供給する電力を、整流器４８から供給するか、バッテリ１５から供給するか、遮断するかを切り替えることができる。
【００３２】
なお、電源切替部４９の一例は、整流器４８と発光部１３との間を導通させる第１状態、バッテリ１５と発光部１３との間を導通させる第２状態、及び整流器４８及びバッテリ１５の両方と発光部１３との間を非導通状態にする第３状態の間で切り替え可能である。またこれに代えて、電源切替部４９は、整流器４８と発光部１３との間を導通させる第１状態と、バッテリ１５と発光部１３との間を導通させる第２状態との間のみで切り替え可能でもよい。すなわち、壁スイッチ３４が切られた状態では整流器４８からは電力が供給されないので、整流器４８と発光部１３との間が導通状態でも、発光部１３に供給する電力を遮断することができる。
【００３３】
図４は、制御ユニット１６のシステム構成を模式的に示す。制御ユニット１６は、「制御手段」及び「機器制御装置」の其々一例である。制御ユニット１６は、判定部５１、検出部５２、及び制御部５３を含む。判定部５１は、第１ライン４２に電気的に接続され、交流電源３２の供給の有無を判定する。検出部５２（状態検出部）は、第１ライン４２に電気的に接続され、壁スイッチ３４の導通状態を検出する。検出部５２は、例えば交流電源３２の供給が無いと判定部５１が判定した状態で、電源供給線３１を介して壁スイッチ３４の導通状態を検出する。制御部５３は、判定部５１及び検出部５２の出力に基づいて、電子機器１に供給する電力（例えば発光部１３に供給する電力）を少なくとも、遮断するか、交流電源３２から供給するか、またはバッテリ１５から供給するか、のいずれかにすることができる。
【００３４】
図５は、これら判定部５１、検出部５２、及び制御部５３を実現するための具体的な構成例を示す。制御ユニット１６は、リレー６１、プルアップ回路６２、電圧監視回路６３、及び制御回路６４を有する。
【００３５】
リレー６１は、「スイッチング素子」及び「変更部」の其々一例であり、制御回路６４からの制御信号に基づき第１ライン４２の導通状態を変更する。詳しく述べると、リレー６１は、第１ライン４２の途中に直列に挿入されている。リレー６１は、例えば電子制御式リレーであるが、これに限られるものではない。リレー６１が閉じられる（導通状態にされる）と、第１ライン４２が導通状態になる。一方でリレー６１が開かれる（非導通状態にされる）と、第１ライン４２が遮断される。このため、壁スイッチ３４が切られた状態でリレー６１が開かれると、リレー６１と壁スイッチ３４との間にある第１ライン４２及びホット線３５がオープン状態（フローティング状態、電位が定まらない状態）になる。
【００３６】
ここで説明の便宜上、第１ライン４２の第１部分４２ａと第２部分４２ｂを定義する。第１部分４２ａは、第１ライン４２のなかでリレー６１と第１接続部４４との間に位置する部分である。第２部分４２ｂは、第１ライン４２のなかでリレー６１とトランス４７との間に位置する部分である。第２部分４２ｂは、トランス４７及び第２ライン４３を介して、アース線３７に接続されている。リレー６１が開かれると、第１ライン４２の第１部分４２ａとアース線３７との間が遮断される。このため、壁スイッチ３４が切られた状態でリレー６１が開かれると、第１ライン４２の第１部分４２ａとホット線３５の第２部分３５ｂとがオープン状態になる。
【００３７】
プルアップ回路６２は、第１ライン４２の第１部分４２ａに電気的に接続され、所定の直流電圧（例えば３．３Ｖ）を第１ライン４２の第１部分４２ａに印加する。プルアップ回路６２は、「電位設定部（電位設定回路）」及び「設定部」の其々一例であり、交流電源３２の供給が無い状態で、リレー６１とスイッチ３４との間で第１ライン４２を所定電位（所定電圧）に設定する。すなわち、プルアップ回路６２は、壁スイッチ３４が切られた状態でリレー６１が開かれている場合、第１ライン４２の第１部分４２ａ及びホット線３５の第２部分３５ｂを所定電位に設定する。
【００３８】
図５に示すように、プルアップ回路６２とバッテリ１５との間には、第３ライン６６が設けられている。プルアップ回路６２は、第３ライン６６を介してバッテリ１５から直流電源が供給される。すなわち、プルアップ回路６２は、例えばバッテリ１５から電圧が供給される電圧源である。
【００３９】
一方で、交流電源３２の供給が無く、かつ、壁スイッチ３４が入れられた状態では、第１ライン４２の第１部分４２ａは、ホット線３５を介して柱上変圧器３３のトランスに電気的に接続され、直流的にはグラウンドに導通した状態になる。このため、プルアップ回路６２によって第１ライン４２に所定電圧を加えても、第１ライン４２の電位は、実質的にグラウンド電位（０Ｖ近傍）になる。すなわち、壁スイッチ３４の切り替えによって第１ライン４２の電位が変化する。
【００４０】
図６は、プルアップ回路６２及び電圧監視回路６３を実現するためのさらに具体的な構成の一例を示す。プルアップ回路６２は、第１ライン４２に接続された第１抵抗７１（第１抵抗素子）を有する。第１抵抗７１は、所定の電圧端子７２と、第１ライン４２との間に設けられている。電圧端子７２には、例えば上記第３ライン６６を介してバッテリ１５から直流電圧が供給される。プルアップ回路６２は、例えば第１抵抗７１を介して第１ライン４２に所定電圧を加えることで、第１ライン４２を所定電位に設定する。換言すれば、プルアップ回路６２は、第１ライン４２を介して、ホット線３５に所定電圧を加えることで、ホット線３５を所定電位に設定する。
【００４１】
図５に示すように、電圧監視回路６３は、第１ライン４２の第１部分４２ａに電気的に接続されている。電圧監視回路６３は、第１ライン４２の第１部分４２ａの電位を監視する。換言すれば、電圧監視回路６３は、第１ライン４２の第１部分４２ａを介して、ホット線３５の第２部分３５ｂの電位を検出する。電圧監視回路６３は、例えば所定の電圧レベル以上でＨｉｇｈ、それ以外でＬｏｗのロジック信号を出力する。
【００４２】
詳しく述べると、電圧監視回路６３は、第１ライン４２の電位状態に応じた少なくとも３種類のロジック信号を制御回路６４に送る。換言すれば、電圧監視回路６３は、「測定部」の一例であり、第１ライン４２の電圧を測定し、その測定結果を出力する。この測定結果は、交流電源３２の電圧、プルアップ回路６２が設定した所定電圧、あるいは他の電圧（第３電圧）のいずれかである。
【００４３】
具体的には、電圧監視回路６３は、第１ライン４２に交流電源３２から電力が供給されている場合は、第１信号を制御回路６４に送る。第１信号は、例えば交流電源３２の周波数に応じたトグル信号である。なお「トグル信号」とは、第１電圧（例えばＨｉｇｈ）と第２電圧（例えばＬｏｗ）が交互に繰り返される信号である。本実施形態のトグル信号は、例えば５０Ｈｚもしくは６０Ｈｚの周波数で第１電圧と第２電圧が交互に変化する信号である。
【００４４】
電圧監視回路６３は、第１ライン４２の第１部分４２ａがプルアップ回路６２によって設定された所定電位になっている場合、第２信号を制御回路６４に送る。第２信号は、例えば第１電圧（例えばＨｉｇｈ）に固定された信号である。
【００４５】
一方、電圧監視回路６３は、プルアップ回路６２が設定した所定電位に比べて第１ライン４２の第１部分４２ａの検出電位が低い場合、第３信号を制御回路６４に送る。本実施形態では、例えば第１ライン４２に実質的な電位が無い場合（グラウンド電位の場合）、電圧監視回路６３は、第３信号を制御回路６４に送る。第３信号は、例えば第２電圧（例えばＬｏｗ）に固定された信号である。
【００４６】
図６に示すように、電圧監視回路６３は、第２抵抗７３（第２抵抗素子）と、フォトカプラ７４とを有する。第２抵抗７３は、第１ライン４２に接続されている。フォトカプラ７４の入力部は、例えば第２抵抗７３と第１ライン４２との間に直列に接続されている。一方で、フォトカプラ７４の出力部は、制御回路６４の一例であるマイコンに接続されている。
【００４７】
フォトカプラ７４は、第２抵抗７３を流れる電流の有無に基づいてＨｉｇｈまたはＬｏｗの２値の検出電圧を生成する。フォトカプラ７４は、第２抵抗７３に流れる電流の有無を検出信号として制御回路６４に出力する。制御回路６４は、フォトカプラ７４の出力を所定値と比較する「比較器」の一例である。
【００４８】
図５に示すように、制御回路６４は、電圧監視回路６３から得られるロジック信号の内容に応じて、リレー６１の開閉と、電源切替部４９の状態を制御する。具体的には、制御回路６４は、電圧監視回路６３から上記第１信号が入力された場合、交流電源３２から電力の供給があると判定する。より具体的には、制御回路６４は、所定時間内の検出電圧のＨｉｇｈ及びＬｏｗの遷移のエッジ数をカウントし、所定の範囲に入っている場合は交流電源３２の供給があり、それ以外の場合を交流電源３２の供給が無いと判定する。制御回路６４は、交流電源３２の供給がありと判定した場合、リレー６１を閉じた状態にするように制御する。制御回路６４は、さらに電源切替部４９に制御信号を送り、交流電源３２から発光部１３に電力が供給されるように電源切替部４９を制御する。
【００４９】
一方で、制御回路６４は、電圧監視回路６３から上記第１信号が入力されない場合、交流電源３２の供給が無いと判定する。この場合、制御回路６４は、リレー６１を開放するように制御する。すなわち、制御回路６４は、プルアップ回路６２が第１ライン４２を介してホット線３５に電圧を加えるときに、第１ライン４２の第１部分４２ａとアース線３７との間の導通状態を変更する（例えば遮断する）ようにリレー６１を制御する。そして、電圧監視回路６３は、リレー６１が開放された状態で、第１ライン４２の電位（ホット線３５の電位）に基づいて壁スイッチ３４の導通状態を検出する。
【００５０】
制御回路６４は、リレー６１が開放された状態で電圧監視回路６３からロジック信号を受け取り、電圧監視回路６３から上記第２信号が入力された場合、壁スイッチ３４が切られている（非導通状態にある）と判定する。この場合、制御回路６４は、発光部１３への電力の供給を遮断するように電源切替部４９を制御する。
【００５１】
また、制御回路６４は、リレー６１が開放された状態で電圧監視回路６３からロジック信号を受け取り、電圧監視回路６３から上記第３信号が入力された場合、壁スイッチ３４が入れられている（導通状態にある）と判定する。この場合、制御回路６４は、バッテリ１５から発光部１３に電力が供給されるように電源切替部４９を制御する。
【００５２】
以上のような構成例によれば、上記判定部５１は、電圧監視回路６３と制御回路６４の一部とによって構成されている。また、上記検出部５２は、リレー６１、プルアップ回路６２、電圧監視回路６３、及び制御回路６４の一部によって構成されている。換言すれば、判定部５１及び検出部５２は、電圧監視回路６３及び制御回路６４を共用している。制御部５３は、制御回路６４の一部によって構成されている。
【００５３】
また、判定部５１は、第２抵抗７３及びフォトカプラ７４などによって、第１ライン４２の電圧変化を検出する電圧変化検出部８１を有し、所定時間内の前記電圧変化を検出することで交流電源３２の供給の有無を判定する。検出部５２は、第２抵抗７３及びフォトカプラ７４などによって、プルアップ回路６２が設定した電位に基づいて壁スイッチ３４の導通状態を検出する電位検出部８２を有する。すなわち、電圧変化検出部８１及び電位検出部８２は、第２抵抗７３及びフォトカプラ７４を共用している。
【００５４】
なお、図６に示すように、第２抵抗７３の抵抗値は、交流電源３２の供給の有無に応じて変更可能である。第２抵抗７３の抵抗値は、例えば交流電源３２の供給がある状態に比べて、交流電源３２の供給が無い状態で小さくなるように制御部５３によって可変制御される。
【００５５】
詳しく述べると、第２抵抗７３は、例えば電気的に並列に設けられた第１抵抗素子８４と第２抵抗素子８５とを含む。第１抵抗素子８４の抵抗値は、第２抵抗素子８５の抵抗値に比べて大きい。
【００５６】
第２抵抗７３は、例えば平常時は第１抵抗素子８４のみによって構成され、抵抗値が比較的大きい。このため、例えば１００Ｖの交流電圧が供給された場合でも、流れる電流値を比較的小さく抑えることができる。
【００５７】
一方で、制御回路６４は、交流電源３２の供給が無いと判定した場合、第１抵抗素子８４と第２抵抗素子８５とを並列に接続するように第２抵抗７３を制御する。これにより、第２抵抗７３の抵抗値は、第２抵抗７３が第１抵抗素子８４のみによって構成されていた場合に比べて小さくなる。このため、例えば３．３Ｖの直流電圧が供給された場合でも、流れる電流値を検出に適した大きさに設定することができる。なお、第２抵抗７３を制御する制御回路６４の制御信号は、例えばリレー６１を制御する制御信号と同じもの（同期したもの）でもよい。
【００５８】
なお、図７は、プルアップ回路６２と電圧監視回路６３の変形例を示す。この変形例では、第１抵抗７１と第２抵抗７３とを一つの抵抗部として纏めたものである。具体的には、第１抵抗７１及び第２抵抗７３は、少なくとも１つの抵抗素子８４を共用している。本実施形態では、第１抵抗７１及び第２抵抗７３は、第１抵抗素子８４及び第２抵抗素子８５を共用している。このような構成によれば、図６に示す構成と略同じ機能を実現することができるとともに、部品点数を削減することができる。
【００５９】
次に、電子機器１の動作について説明する。  
［平常時で壁スイッチ３４がＯＮの場合］  
図８は、平常時で壁スイッチ３４が入れられている場合の電子機器１の動作を示す。交流電源３２の供給がある場合、電圧監視回路６３は、交流電源３２に基づいて上記第１信号（トグル信号）を制御回路６４に送る。制御回路６４は、上記第１信号を受け取ることで交流電源３２の供給があると判定し、リレー６１を閉じた状態にするように制御する。さらに、制御回路６４は、発光部１３に交流電源３２から電力が供給されるように電源切替部４９を制御する。これにより、発光部１３は、交流電源３２から電力が供給されて発光することができる。なお本明細書で「平常時」とは、交流電源３２の供給がある場合を意味する。
【００６０】
［平常時で壁スイッチ３４がＯＦＦの場合］  
図９は、平常時で壁スイッチ３４が切られている場合の電子機器１の動作を示す。壁スイッチ３４によって交流電源３２の供給が遮断されている場合、制御回路６４には電圧監視回路６３から上記第１信号が入力されない。制御回路６４は、上記第１信号の入力がないことで交流電源３２の供給が無いと判定し、リレー６１を開くように制御する。
【００６１】
プルアップ回路６２は、リレー６１が開かれた状態で、第１ライン４２の第１部分４２ａに所定の直流電圧を加える。上述したように、壁スイッチ３４が切られている状態では、第１ライン４２の第１部分４２ａ及びホット線３５の第２部分３５ｂは、オープン状態であり、プルアップ回路６２によって所定電位に設定される。
【００６２】
電圧監視回路６３は、第１ライン４２の電位を検出し、プルアップ回路６２が設定した所定電位が検出された場合、上記第２信号（例えばＨｉｇｈに固定された信号）を制御回路６４に送る。制御回路６４は、上記第２信号に基づき、発光部１３への電力供給を遮断するように電源切替部４９を制御する。これにより、発光部１３は、消灯する。
【００６３】
［停電時で壁スイッチ３４がＯＮの場合］  
図１０は、停電時で壁スイッチ３４が入れられている場合の電子機器１の動作を示す。停電時で交流電源３２の供給が無い場合、制御回路６４には電圧監視回路６３から上記第１信号が入力されない。制御回路６４は、上記第１信号の入力がないことで交流電源３２の供給が無いと判定し、リレー６１を開くように制御する。
【００６４】
プルアップ回路６２は、リレー６１が開かれた状態で、第１ライン４２の第１部分４２ａに所定の直流電圧を印加する。上述したように、壁スイッチ３４が入れられた状態では、第１ライン４２の第１部分４２ａは、ホット線３５を介して柱上変圧器３３のトランスに接続され、直流的にはグラウンドに導通した状態となる。このため、第１ライン４２は、プルアップ回路６２によって所定電圧を加えた場合でも、グラウンド電位になる。
【００６５】
電圧監視回路６３は、第１ライン４２の電位を検出し、プルアップ回路６２が設定した所定電位が検出されない場合、上記第３信号（例えばＬｏｗに固定された信号）を制御回路６４に送る。制御回路６４は、上記第３信号に基づき、発光部１３にバッテリ１５から電力が供給されるように電源切替部４９を制御する。これにより、発光部１３は、バッテリ１５から電力が供給されて発光することができる。
【００６６】
［停電時で壁スイッチ３４がＯＦＦの場合］  
図１１は、停電時で壁スイッチ３４が切られている場合の電子機器１の動作を示す。停電時で壁スイッチ３４が切られている場合、交流電源３２は供給されない。停電時で交流電源３２の供給が無い場合、制御回路６４には電圧監視回路６３から上記第１信号が入力されない。制御回路６４は、上記第１信号の入力がないことで交流電源３２の供給が無いと判定し、リレー６１を開くように制御する。
【００６７】
プルアップ回路６２は、リレー６１が開かれた状態で、第１ライン４２の第１部分４２ａに所定の直流電圧を加える。上述したように、壁スイッチ３４が切られている状態では、第１ライン４２の第１部分４２ａ及びホット線３５の第２部分３５ｂは、オープン状態であり、プルアップ回路６２によって所定電位が設定される。
【００６８】
電圧監視回路６３は、第１ライン４２の電位を検出し、プルアップ回路６２が設定した所定電位が検出された場合、上記第２信号（例えばＨｉｇｈに固定された信号）を制御回路６４に送る。制御回路６４は、上記第２信号に基づき、発光部１３への電力供給を遮断するように電源切替部４９を制御する。これにより、発光部１３は、消灯する。
【００６９】
図１２は、電子機器１の動作状態の一例を示す。図１２に示すように、電圧監視回路６３は、交流電源３２の供給の有無及び壁スイッチ３４の導通状態の有無に応じて、３種類の制御信号を出力する。
【００７０】
以上のような構成によれば、利便性の向上を図ることができる電子機器１を提供することができる。ここで、比較のためいくつかの電子機器について検討する。例えば、リモートコントローラからの無線による制御信号に基づいて、点灯及び消灯を切り替える装置を考える。この装置では、停電時に非常灯として照明を点灯させる場合、ユーザは暗闇の中でリモートコントローラ端末を探し、信号を送信しなければならない。
【００７１】
また、特殊なシーケンスによって通常消灯を認識する装置を考える。この装置では、壁スイッチを特殊なシーケンスによって消すことを義務付けることで、通常消灯と停電時の遮断との区別を行う。この場合、通常時に従来の照明装置とは異なる煩雑な作業をユーザに課す必要がある。
【００７２】
また、外部電源から供給される電力の喪失と、当該外部電源と前記電子機器との間に設けられたスイッチによる当該電力の供給の遮断とを電圧変化の推移の違いに基づいて判定する電子機器を考える。この場合、一度停電と判定され、バッテリ動作に切り替わった後は、任意の消灯及び点灯動作を行うことができない。
【００７３】
一方で、本実施形態に係る電子機器１は、交流電源３２の供給の有無を判定する判定部５１と、壁スイッチ３４の導通状態を検出する検出部５２と、交流電源３２とは異なる第２電源（バッテリ１５）と、制御部５３とを備える。制御部５３は、判定部５１及び検出部５２の出力に基づいて、該電子機器１に供給する電力を少なくとも、遮断するか、交流電源３２から供給するか、または前記第２電源から供給するか、のいずれかにする。
【００７４】
このような構成によれば、スイッチ３４の導通状態の有無を電子機器１が自ら検出することができるため、例えば停電時においても平常時と全く同じようにスイッチ３４で電子機器１の電源のＯＮ／ＯＦＦを切り替えることができる。これにより、ユーザは停電の有無を意識することなく、電子機器１を使用することができる。これは、電子機器１の利便性を高めるものである。
【００７５】
また本実施形態の電子機器１によれば、家屋側に特別な工事や装置を必要とすることなく、従来の機器を本電子機器１に交換するだけで、上記機能を有するシステムを実現することができる。この点においても電子機器１は、利便性が高いと言える。
【００７６】
本実施形態では、電子機器１は、交流電源３２または前記第２電源から電力が供給される発光部１３をさらに備えた照明装置である。このような構成によれば、平常時には通常の照明として使用しながら、停電時には、ユーザの負担が実質的に無く、高い安全性を有した非常用照明を実現することができる。
【００７７】
本実施形態では、電子機器１は、スイッチ３４が途中に設けられて交流電源３２から電力が供給される電源供給線３１に接続される。検出部５２は、交流電源３２の供給が無いと判定部５１が判定した状態で、電源供給線３１を介してスイッチ３４の導通状態を検出する。このような構成によれば、電源供給線３１を用いてスイッチ３４の導通状態が検出されるため、スイッチ３４に特別な検出装置を追加する必要が無く、スイッチ３４や電源供給線３１として従来のものをそのまま使用することができる。
【００７８】
本実施形態では、検出部５２は、電源供給線３１に所定電圧を加えるとともに、電源供給線３１の電位を検出することでスイッチ３４の導通状態を検出する。このような構成によれば、比較的簡単な構成でスイッチ３４の導通状態を検出することができる。これにより、電子機器１の低コスト化を図ることができる。
【００７９】
本実施形態では、検出部５２は、前記所定電圧に比べて前記電位の検出結果が所定以上低い場合に、スイッチ３４が導通状態にあることを判定する。このような構成によれば、スイッチ３４の導通状態を比較的精度良く検出することができる。
【００８０】
本実施形態では、電子機器１は、検出部５２が電源線４１を介してホット線３５に前記所定電圧を加えるときに、電源線４１とアース線３７との間の導通状態を変更するスイッチング素子（リレー６１）を備える。このような構成によれば、スイッチ３４の導通状態の検出精度をさらに高めることができる。
【００８１】
本実施形態では、検出部５２は、電源線４１の途中に設けられて交流電源３２が無いと判定部５１が判定したときに開放されるリレー６１と、リレー６１とスイッチ３４との間で電源線４１を所定電位に設定する電位設定部（プルアップ回路６２）と、前記電位設定部が設定した電位に基づいてスイッチ３４の導通状態を検出する電位検出部８２とを有する。このような構成によれば、比較的簡単な構成で、スイッチ３４の導通状態を精度良く検出することができる。
【００８２】
本実施形態では、前記電位設定部は、前記第２電源から電力が供給される。このような構成によれば、電子機器１に必要な部品点数を減らすことができ、電子機器１の低コスト化を図ることができる。
【００８３】
本実施形態では、判定部５１は、電源線４１の電圧変化を検出する電圧変化検出部８１を有し、所定時間内の前記電圧変化を検出することで交流電源３２の供給の有無を判定する。このような構成によれば、比較的簡単な構成で、交流電源３２の有無を精度良く検出することができる。
【００８４】
本実施形態では、電圧変化検出部８１及び電位検出部８２は、電源線４１に接続された抵抗７３と、抵抗７３を流れる電流を検出して検出信号を制御部５３に出力するフォトカプラ７４とを共用する。このような構成によれば、電子機器１に必要な部品点数を減らすことができ、電子機器１の低コスト化を図ることができる。さらにフォトカプラ７４を用いることで、比較的高い電圧が加わる電源回路と、比較的低い電圧が加わるロジック回路とを電気的に絶縁することができる。このような構成によれば、電子機器１の信頼性を高めることができる。
【００８５】
本実施形態では、第２抵抗７３の抵抗値は、交流電源３２の供給がある状態に比べて、交流電源３２の供給が無い状態で小さくなるように制御部５３によって可変制御される。このような構成によれば、交流電源３２の供給がある場合に第２抵抗７３に流れる電流を小さくするとともに、交流電源３２の供給が無い状態において、検出用の電流が過度に小さくならないようにすることができる。これにより、検出部５２の検出精度を高めることができる。
【００８６】
また、本実施形態を別の観点でみると、電子機器１は、スイッチ３４を介して接続される商用電源（交流電源３２）により駆動可能であるとともに、第２電源（バッテリ１５）による駆動も可能である電子機器であって、前記商用電源からの電圧の有無及びスイッチ３４の状態に応じて駆動電源を制御する制御手段（制御ユニット１６）を備える。このような構成によれば、交流電源３２の供給の有無に関係なく、ユーザは、スイッチ３４を操作するだけで電子機器１の電源のＯＮ／ＯＦＦを操作することができる。これは、電子機器１の利便性を高めるものである。
【００８７】
本実施形態では、前記制御手段は、スイッチ３４が導通状態であり、前記商用電源からの電圧がある場合、前記商用電源を駆動電源とし、スイッチ３４が導通状態であり、前記商用電源からの電圧が無い場合、前記第２電源を駆動電源とし、スイッチ３４が非導通状態である場合、駆動電源を遮断する。
【００８８】
本実施形態では、前記制御手段は、設定部（プルアップ回路６２）と、測定部（電圧監視回路６３）と、スイッチング素子（リレー６１）とを有する。前記設定部は、前記商用電源からの電圧が無い場合、スイッチ３４を介して前記商用電源に接続されるライン４２を所定電圧とする。前記測定部は、前記ラインの電圧を測定し、前記商用電源の電圧、前記所定電圧、あるいは他の電圧（第３電圧）のいずれかである測定結果を出力する。前記スイッチング素子は、前記ラインの途中に設けられ、前記測定部の測定結果が前記商用電源の電圧である場合に導通状態にされる。このような構成によれば、比較的簡単な構成でスイッチ３４の導通状態を検出することができる。
【００８９】
本実施形態では、前記制御手段は、前記測定部の測定結果が前記商用電源の電圧である場合、前記商用電源を駆動電源とし、前記測定部の測定結果が前記第３電圧である場合、前記第２電源を駆動電源とする。
【００９０】
以下に、いくつかの変形例及び他の実施形態に係る電子機器１について説明する。なお、第１実施形態の構成と同一または類似の機能を有する構成は、同一の符号を付してその説明を省略する。また、下記で説明する以外の構成は、第１実施形態と同じである。
【００９１】
（第１変形例）  
図１３は、第１実施形態の第１変形例に係る電子機器１を示す。本変形例では、リレー６１の代わりに、トランジスタ９１が設けられている。トランジスタ９１は、例えばＦＥＴタイプであるが、例えばバイポーラタイプでもよく、特に限定されるものではない。トランジスタ９１は、「スイッチング素子」及び「変更部」の其々一例であり、検出部５２が電源線４１を介してホット線３５に所定電圧を加えるときに、第１ライン４２の第１部分４２ａとアース線３７との間の導通状態を変更する。
【００９２】
具体的には、制御回路６４は、電圧監視回路６３の出力に応じてトランジスタ９１に制御信号を送り、第１ライン４２の導通状態を変更する。すなわち、制御回路６４は、交流電源３２の供給があると判定した場合、第１ライン４２を導通状態にするようにトランジスタ９１を制御する。一方で、制御回路６４は、交流電源３２の供給が無いと判定した場合、第１ライン４２を非導通状態にするようにトランジスタ９１を制御する。このような構成によっても、上述した第１実施形態と略同じ機能を実現することができる。
【００９３】
（第２変形例）  
図１４は、第１実施形態の第２変形例に係る電子機器１を示す。本変形例では、リレー６１の代わりに、導通状態変更部９３が設けられている。導通状態変更部９３は、「スイッチング素子」及び「変更部」の其々一例であり、第１ライン４２の抵抗値を変更することができる。
【００９４】
具体的には、制御回路６４は、電圧監視回路６３の出力に応じて導通状態変更部９３に制御信号を送り、第１ライン４２の導通状態を変更する。すなわち、制御回路６４は、交流電源３２の供給があると判定した場合、導通状態変更部９３の抵抗が実質的に無い第１状態にするように制御する。一方で、制御回路６４は、交流電源３２の供給が無いと判定した場合、導通状態変更部９３の抵抗を第１状態に比べて大きな第２状態にするように制御する。このような構成によっても、上述した第１実施形態と略同じ機能を実現することができる。
【００９５】
（第３変形例）  
図１５は、第１実施形態の第３変形例に係る電子機器１を示す。本変形例では、電子機器１は、バッテリ１５に加えて別の蓄電部９５を有する。蓄電部９５は、「第３電源」の一例である。蓄電部９５は、例えばバッテリ１５に比べて出力電圧が小さい。蓄電部９５は、電子機器１の内部に設けられた第２バッテリでもよいが、例えばコンデンサなどでもよい。
【００９６】
本変形例では、プルアップ回路６２には、バッテリ１５に代えて、蓄電部９５から電力が供給される。このような構成によっても、上述した第１実施形態と略同じ機能を実現することができる。また本変形例のように発光部１３に電力を供給するバッテリ１５と、プルアップ回路６２に電力を供給する蓄電部９５とを分けることで、比較的大きな電圧が出力可能なバッテリ１５と比較的小さな出力電圧でよい蓄電部９５とを最適化しやすく、電子機器１の動作の効率化を図ることができる。これは、電子機器１の消費電力の削減などにも寄与する。
【００９７】
（第４変形例）  
図１６及び図１７は、第１実施形態の第４変形例に係る電子機器１を示す。本変形例の電子機器１は、極性切替部９７を有する。極性切替部９７は、第１ライン４２の途中及び第２ライン４３の途中に直列に挿入され、第１及び第２ライン４２，４３と、第１及び第２接続部４４，４５との接続を切り替える。
【００９８】
詳しく述べると、図１６は、第１接続部４４がホット線３５に接続され、第２接続部４５がアース線３７に接続される場合を示す。この場合、極性切替部９７は、第１接続部４４と第１ライン４２とを接続させる（導通させる）とともに、第２接続部４５と第２ライン４３とを接続させる（導通させる）。
【００９９】
一方で、ソケットなどの構成によっては、図１７のように、ホット線３５及びアース線３７の配線が逆になっており、第１接続部４４がアース線３７に接続され、第２接続部４５がホット線３５に接続される場合がある。この場合、第１ライン４２がアース線３７を介してグラウンドに接続される状態になるので、プルアップ回路６２によって第１ライン４２に電位を設定することが難しくなる。そこでこの場合、極性切替部９７は、第２接続部４５と第１ライン４２とを接続させる（導通させる）とともに、第１接続部４４と第２ライン４３とを接続させる（導通させる）ように、第１ライン４２と第２ライン４３の極性を切り替える。
【０１００】
次に、この電子機器１の動作について説明する。  
極性切替部９７は、例えば製品出荷時には、第１接続部４４と第１ライン４２を接続するとともに、第２接続部４５と第２ライン４３とを接続している。電子機器１は、平常時でスイッチ３４が切られた状態で例えばソケットに取り付けられる。制御回路６４は、上記第１実施形態と同様に、電圧監視回路６３からロジック信号を受け取り、上記第１信号の入力が無い場合は、リレー６１を開放する。
【０１０１】
そして、制御回路６４は、リレー６１が開放された状態で電圧監視回路６３からロジック信号を受け取り、上記第２信号が入力された場合、第１ライン４２がホット線３５に接続されるとともに、第２ライン４３がアース線３７に接続されていると判定し、極性切替部９７の状態をそのまま維持する。
【０１０２】
一方で、制御回路６４は、上記第２信号の代わりに上記第３信号が入力された場合、第１ライン４２がアース線３７に接続されるとともに、第２ライン４３がホット線３５に接続されている可能性があると判定し、極性切替部９７を制御し、第１ライン４２と第２ライン４３の極性を自動的に切り替える。この状態で制御回路６４は、電圧監視回路６３からロジック信号をさらに受け取り、上記第２信号が入力された場合、第１ライン４２がホット線３５に接続されるとともに、第２ライン４３がアース線３７に接続されていると判定し、極性切替部９７の状態をそのまま維持する。
【０１０３】
以上のように、本変形例に係る電子機器１は、第１ライン４２をホット線３５に接続し、第２ライン４３をアース線３７に接続するように電源線４１を切り換える極性切替部９７をさらに備える。このような構成によれば、ソケットなどの構成によってホット線３５及びアース線３７の配線が逆になっている場合にも電子機器１を使用することができる。これは、電子機器１の利便性をさらに高める。
【０１０４】
本実施形態では、制御部５３は、電源線４１に加わる電圧レベルに応じて極性切替部９７を自動的に切り替える。このような構成によれば、ホット線３５及びアース線３７の配線が逆になっている場合でもユーザは特別な操作を求められない。これは、電子機器１の利便性をさらに高める。
【０１０５】
（第５変形例）  
図１８は、第１実施形態の第５変形例に係る電子機器１を示す。本変形例では、検出部５２は、第１ライン４２に設定された電位を監視することに代えて、第１ライン４２に所定の信号を流してその反射状態を監視することで壁スイッチ３４の状態を検出する。
【０１０６】
詳しく述べると、検出部５２は、信号発信部１０１と、信号検出部１０２とを有する。信号発信部１０１は、第１ライン４２に所定の信号（検査信号）を出力する。このとき、壁スイッチ３４が導通状態にある場合、上記信号は反射されずにホット線３５に流れる。この場合、信号検出部１０２が上記信号の反射を検出しないことで、壁スイッチ３４は導通状態にあると判定される。
【０１０７】
一方で、壁スイッチ３４が非導通状態にある場合、上記信号は壁スイッチ３４で反射されて第１ライン４２に戻る。この場合、信号検出部１０２が上記反射された信号を検出することで、壁スイッチ３４は非導通状態にあると判定される。このような構成によっても、上述した第１実施形態と略同じ機能を実現することができる。
【０１０８】
（第２実施形態）  
図１９は、第２実施形態に係る電子機器１を示す。本実施形態の電子機器１は、バッテリ１５から電力が供給される場合、例えば停電状態であることをユーザに知らせるように発光部１３の発光モードを変更する。
【０１０９】
詳しく述べると、制御部５３は、発光部１３を駆動する駆動回路１０５（駆動部）を有する。制御回路６４は、交流電源３２の供給があると判定した場合、交流電源３２から発光部１３に電力が供給されるように電源切替部４９を制御するとともに、発光部１３を第１モード（第１発光モード、通常モード）で発光するように駆動回路１０５を制御する。第１モードは、平常時の点灯モードであり、例えば一般的な電球と同様に発光部１３の点灯が続くモードである。
【０１１０】
一方で、制御回路６４は、交流電源３２の供給が無いと判定した場合、バッテリ１５から発光部１３に電力が供給されるように電源切替部４９を制御するとともに、発光部１３を第２モード（第２発光モード、停電モード）で発光するように駆動回路１０５を制御する。第２モードは、例えば停電状態であることをユーザに知らせるためのモードである。
【０１１１】
この第２モードは、例えば発光部１３を少なくとも１回点滅させる動作を含む。第２モードは、例えば発光部１３への電力供給を交流電源３２からバッテリ１５に切り替える際に、発光部１３を点滅させてもよく、または所定時間毎に発光部１３を点滅させてもよい。また、第２モードは、例えば第１モードに比べて消費電力を抑える点灯モードでもよい。第２モードは、例えば第１モードに比べて明るさを抑えた点灯モードである。すなわち、第２モードは、第１モードに比べて明るさを減らすことで、停電状態であることをユーザに知らせてもよい。
【０１１２】
なお、駆動回路１０５は、発光部１３を制御することで上記第２モード（点滅動作や光量減少など）を実現してもよく、または電源切替部４９を制御することで上記第２モード（点滅動作など）を実現してもよい。
【０１１３】
本実施形態の電子機器１は、例えば停電状態であることをユーザに知らせる報知器１０６をさらに備えてもよい。報知器１０６は、発光部１３への電力供給が交流電源３２からバッテリ１５に切り替わる際に音が鳴るスピーカや、異なる色を発する別の発光部などでもよい。制御回路６４は、例えば発光部１３への電力供給を交流電源３２からバッテリ１５に切り替える際に、報知器１０６を作動させるように駆動回路１０５を制御する。
【０１１４】
このような構成によれば、電子機器１の利便性の向上をさらに図ることができる。すなわち、平常時でも停電時でも変わらずに使用可能な電子機器によれば、停電になったことをユーザが気付きにくい場合もあり得る。そこで本実施形態では、制御部５３は、交流電源３２から電力が供給される状態では第１発光モードで発光し、前記第２電源から電力が供給される状態では第２発光モードで発光するように発光部１３を制御する。このような構成によれば、第２発光モードの発光を見ることで、停電になったことをユーザが気付きやすくなる。
【０１１５】
本実施形態では、前記第２発光モードは、前記発光部を少なくとも１回点滅させる動作を含む。このような構成によれば、停電になったことをユーザがさらに気付きやすくなる。これにより、電子機器１の利便性の向上をさらに図ることができる。
【０１１６】
（変形例）  
図２０及び図２１は、第２実施形態の一つの変形例に係る電子機器１を示す。本変形例の電子機器１は、発光部１３の第２モードの点灯状態を調整可能な調整部１０７を有する。詳しく述べると、調整部１０７は、例えば電子機器１の外部に露出した回転つまみであり、ユーザが直接に操作可能である。調整部１０７は、例えばグローブ１１と口金１２との間に設けられたグローブコネクタ１０８の外周面に設けられている。
【０１１７】
電子機器１は、この調整部１０７が操作されることで、発光部１３の点灯モードが変更可能である。ユーザは、例えば調整部１０７を操作することで、第２モードの点灯の明るさを調整することができる。すなわち、ユーザは、発光部１３が明るく点灯するがバッテリ１５の持続時間が相対的に短いモード（第１電力モード）と、このモードに比べて発光部１３の明るさを抑えるとともにバッテリ１５の持続時間が相対的に長いモード（第２電力モード、省電力モード）とを自ら選択することができる。なお、上記第２電力モードは、上記第１電力モードに対して段階的に複数設定されてもよく、または上記第１電力モードから異なる明るさに連続的に無段階で変更可能に設定されてもよい。
【０１１８】
このような構成によれば、ユーザがバッテリ１５の持続時間を自ら調整することができるため、種々の状況に応じて電子機器１を効果的に使用することができる。これにより、電子機器１の利便性の向上をさらに図ることができる。
【０１１９】
（第３実施形態）  
図２２は、第３実施形態に係る電子機器１を示す。本実施形態では、壁スイッチ３４は、ホット線３５とアース線３７の両方を遮断する両切りタイプである。本実施形態の電子機器１では、上記第１実施形態の構成に比べて、リレー６１が省略されてもよい。このような構成によっても、第１実施形態と同様に、電子機器１の利便性の向上を図ることができる。なお、リレー６１を有する電子機器１は、壁スイッチ３４が片切りタイプの場合でも両切りタイプの場合でも使用することができるので汎用性が高く、また壁スイッチ３４の種類を気にせず使用することができるので利便性も高い。
【０１２０】
（第４実施形態）  
図２３は、第４実施形態に係る電子機器１を示す。本実施形態では、電子機器１は、電球の略中央部に設けられた発光部１３と、該発光部１３を覆う球状のグローブ１１とを有する。電子機器１は、例えばＬＥＤランプであるが、これに代えて白熱電球やハロゲンランプ、ＨＩＤ（High Intensity Discharge）ランプ、蛍光灯などでもよい。このような構成によっても、第１実施形態と同様に、電子機器１の利便性の向上を図ることができる。
【０１２１】
（第５実施形態）  
図２４は、第５実施形態に係る電子機器１を示す。本実施形態では、電子機器１は、例えば細長い発光部１３を有する。発光部１３は、例えば蛍光灯であるが、これに代えて例えばＬＥＤのような発光素子１３ａを複数備えた発光部でもよい。本実施形態では、電源ユニット１４、バッテリ１５、及び制御ユニット１６は、例えば天井裏などに設けられている。このような構成によっても、第１実施形態と同様に、電子機器１の利便性の向上を図ることができる。
【０１２２】
（第６実施形態）  
図２５は、第６実施形態に係る電子機器１を示す。図２５に示すように、電源供給線３１の途中には、ブレーカ１１１が設けられている。ブレーカ１１１は、電子機器１の外部に設けられたスイッチの一例である。ブレーカ１１１は、例えば屋内から操作可能である。電子機器１は、ブレーカ１１１によって交流電源３２の供給及び遮断が切り替えられる電源供給線３１に接続される。電子機器１は、例えば屋内に設けられたコンセントに接続されることで電源供給線３１に接続される。本実施形態に係る電子機器１は、交流電源３２の供給の有無及びブレーカ１１１の状態を検出し、負荷部１１２（出力部）に供給する電力を制御する。
【０１２３】
詳しく述べると、電子機器１は、判定部５１、検出部５２、及び制御部５３を含む。判定部５１は、第１ライン４２に電気的に接続され、交流電源３２の供給の有無を判定する。検出部５２は、第１ライン４２に電気的に接続され、例えば交流電源３２の供給が無いと判定部５１が判定した状態で、ブレーカ１１１の導通状態を検出する。制御部５３は、判定部５１及び検出部５２の出力に基づいて、電子機器１に供給する電力を少なくとも、遮断するか、交流電源３２から供給するか、バッテリ１５から供給するか、のいずれかにする。
【０１２４】
具体的には、電子機器１は次のように動作する。  
［平常時でブレーカ１１１が導通状態の場合］  
平常時でブレーカ１１１が導通状態の場合、電圧監視回路６３は、交流電源３２に基づいて上記第１信号（トグル信号）を制御回路６４に送る。制御回路６４は、上記第１信号を受け取ることで交流電源３２の供給があると判定し、交流電源３２から電力が供給されるように電源切替部４９を制御する。これにより、電子機器１は、交流電源３２から電力が供給されて作動することができる。
【０１２５】
［ブレーカが遮断された場合］  
例えば地震などによってブレーカ１１１が自動的に遮断される場合がある。この場合、制御回路６４には電圧監視回路６３から上記第２信号が入力される。制御回路６４は、上記第２信号に基づき、電子機器１への電力供給を遮断するように電源切替部４９を制御する。
【０１２６】
［停電時でブレーカ１１１が復帰動作された場合］  
地震後の停電時にブレーカ１１１が復帰動作された場合（導通状態にされた場合）、制御回路６４には電圧監視回路６３から上記第３信号が入力される。制御回路６４は、上記第３信号に基づき、電子機器１にバッテリ１５から電力が供給されるように電源切替部４９を制御する。これにより、電子機器１は、バッテリ１５から電力が供給されて作動することができる。
【０１２７】
以上のような構成によれば、利便性の向上を図ることができる電子機器１を提供することができる。すなわちこのような構成によれば、停電時で交流電源３２が供給されていない状況であっても、ブレーカ１１１を復帰させることでバッテリ１５から電子機器１に電力を供給することができる。これにより、非常時に有用な電子機器１を提供することができる。
【０１２８】
なお、以上のいくつかの実施形態および変形例は、互いに組み合わせて、または置換して実施することができる。例えば第１実施形態の各変形例は、第２乃至第６実施形態の構成において適宜適用してもよい。また上記実施形態及び変形例は、個々に種々変形して実施されてもよい。
【０１２９】
また上記構成によれば、ユーザの利便性を高めることができる電源供給システムを提供することができる。「電源供給システム」は、例えば、電源供給線３１、壁スイッチ３４、及び電子機器１を含む。
【０１３０】
本発明のいくつかの実施形態を説明したが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【０１３１】
１…電子機器、１３…発光部、１４…電源ユニット、１５…バッテリ、１６…制御ユニット、３１…電源供給線、３２…交流電源、３４…スイッチ、３５…ホット線、３７…アース線、４１…電源線、４２…第１ライン、４３…第２ライン、４９…電源切替部、５１…判定部、５２…検出部、５３…制御部、６１…リレー、６２…プルアップ回路、６３…電圧監視回路、６４…制御回路、７３…抵抗、７４…フォトカプラ、８１…電圧変化検出部、８２…電位検出部、９７…極性切替部
【図１】
2015228735.tif 000003
【図２】
2015228735.tif 000004
【図３】
2015228735.tif 000005
【図４】
2015228735.tif 000006
【図５】
2015228735.tif 000007
【図６】
2015228735.tif 000008
【図７】
2015228735.tif 000009
【図８】
2015228735.tif 000010
【図９】
2015228735.tif 000011
【図１０】
2015228735.tif 000012
【図１１】
2015228735.tif 000013
【図１２】
2015228735.tif 000014
【図１３】
2015228735.tif 000015
【図１４】
2015228735.tif 000016
【図１５】
2015228735.tif 000017
【図１６】
2015228735.tif 000018
【図１７】
2015228735.tif 000019
【図１８】
2015228735.tif 000020
【図１９】
2015228735.tif 000021
【図２０】
2015228735.tif 000022
【図２１】
2015228735.tif 000023
【図２２】
2015228735.tif 000024
【図２３】
2015228735.tif 000025
【図２４】
2015228735.tif 000026
【図２５】
2015228735.tif 000027
【手続補正書】
【提出日】平成27年3月9日(2015.3.9)
【手続補正１】
【補正対象書類名】明細書
【補正対象項目名】０００５
【補正方法】変更
【補正の内容】
【０００５】
実施形態によれば、電子機器は、機器外部のスイッチにより交流電源の供給及び遮断が切り替え可能であり、スイッチを介して交流電源に接続される端子と、端子に所定電圧を印加する電圧印加部と、端子に導通制御素子を介して接続される負荷と、交流電源とは異なる第２電源と、端子の電圧を検出する検出部と、検出部の検出値に基づいて、導通制御素子の導通を制御するとともに、負荷に供給する電力を遮断する、交流電源からの電力を負荷に供給する、または第２電源からの電力を前記負荷に供給する制御部と、を具備する。
【手続補正２】
【補正対象書類名】特許請求の範囲
【補正対象項目名】全文
【補正方法】変更
【補正の内容】
【特許請求の範囲】
【請求項１】
機器外部のスイッチで交流電源の供給及び遮断が切り替え可能な電子機器であって、
前記交流電源の供給の有無を判定する判定部と、
前記スイッチの導通状態を検出する検出部と、
前記交流電源とは異なる第２電源と、
出力部と、
前記判定部の出力及び前記検出部の出力に基づいて、前記出力部に供給する電力を遮断する、前記交流電源からの電力を前記出力部に供給する、または前記第２電源からの電力を前記出力部に供給する制御部と、
を具備し、
該電子機器は、前記スイッチを介して前記交流電源から電力が供給される電源供給線に接続され、
前記検出部は、前記判定部が前記交流電源の供給が無いと判定した場合、前記電源供給線に所定電圧を加えるとともに、前記電源供給線の電圧を検出することにより、前記電源供給線を介して前記スイッチの導通状態を検出し、
前記制御部は、前記検出部が前記電源供給線の電圧が前記所定電圧であることを検出する場合、前記出力部に供給する電力を遮断し、前記判定部が前記交流電源の供給が無いと判定し、前記検出部が前記電源供給線の電圧が前記所定電圧であることを検出しない場合、前記第２電源からの電力を前記出力部に供給する電子機器。
【請求項２】
機器外部のスイッチで交流電源の供給及び遮断が切り替え可能な電子機器であって、
前記交流電源の供給の有無を判定する判定部と、
前記スイッチの導通状態を検出する検出部と、
前記交流電源とは異なる第２電源と、
出力部と、
前記判定部の出力及び前記検出部の出力に基づいて、前記出力部に供給する電力を遮断する、前記交流電源からの電力を前記出力部に供給する、または前記第２電源からの電力を前記出力部に供給する制御部と、
を具備し、
該電子機器は、前記スイッチを介して前記交流電源から電力が供給される電源供給線に接続され、
前記検出部は、前記判定部が前記交流電源の供給が無いと判定した場合、前記電源供給線に所定電圧を加えるとともに、前記電源供給線の電圧を検出することにより、前記電源供給線を介して前記スイッチの導通状態を検出するものであって、前記所定電圧に比べて前記電源供給線の電圧の検出結果が所定以上低い場合、前記スイッチが導通状態にあることを検出する電子機器。
【請求項３】
機器外部のスイッチで交流電源の供給及び遮断が切り替え可能な電子機器であって、
前記交流電源の供給の有無を判定する判定部と、
前記スイッチの導通状態を検出する検出部と、
前記交流電源とは異なる第２電源と、
出力部と、
前記判定部の出力及び前記検出部の出力に基づいて、前記出力部に供給する電力を遮断する、前記交流電源からの電力を前記出力部に供給する、または前記第２電源からの電力を前記出力部に供給する制御部と、
を具備し、
該電子機器は、前記スイッチを介して前記交流電源から電力が供給される電源供給線に接続され、
前記検出部は、前記判定部が前記交流電源の供給が無いと判定した場合、前記電源供給線に所定電圧を加えるとともに、前記電源供給線の電圧を検出することにより、前記電源供給線を介して前記スイッチの導通状態を検出し、
前記電源供給線は、ホット線と、アース線とを含み、
前記スイッチは、少なくとも前記ホット線を導通または遮断し、
該電子機器は、
前記ホット線及び前記アース線に接続される電源線と、
前記検出部が前記電源線を介して前記ホット線に前記所定電圧を加える場合、前記電源線と前記アース線との間の導通状態を変更するスイッチング素子と、
を具備する電子機器。
【請求項４】
機器外部のスイッチで交流電源の供給及び遮断が切り替え可能な電子機器であって、
前記交流電源の供給の有無を判定する判定部と、
前記スイッチの導通状態を検出する検出部と、
前記交流電源とは異なる第２電源と、
出力部と、
前記判定部の出力及び前記検出部の出力に基づいて、前記出力部に供給する電力を遮断する、前記交流電源からの電力を前記出力部に供給する、または前記第２電源からの電力を前記出力部に供給する制御部と、
を具備し、
該電子機器は、前記スイッチを介して前記交流電源から電力が供給される電源供給線に接続される電源線をさらに具備し、
前記検出部は、前記判定部が前記交流電源の供給が無いと判定した場合、前記電源供給線を介して前記スイッチの導通状態を検出するものであって、
前記電源線の途中に設けられ、前記判定部が前記交流電源の供給が無いと判定した場合、開放されるリレーと、
前記リレーと前記スイッチとの間で前記電源線を所定電位に設定する電位設定部と、
前記電位設定部が設定した電位に基づいて前記スイッチの導通状態を検出する電位検出部とを具備する電子機器。
【請求項５】
前記電位設定部は、前記第２電源から電力が供給される請求項４記載の電子機器。
【請求項６】
前記判定部は、前記電源線の電圧変化を検出する電圧変化検出部を具備し、所定時間内の前記電圧変化を検出することで前記交流電源の供給の有無を判定する請求項４または請求項５記載の電子機器。
【請求項７】
前記電位検出部及び前記電圧変化検出部は、
前記電源線に接続された抵抗と、
前記抵抗を流れる電流を検出して検出信号を前記制御部に出力するフォトカプラとを共用した請求項６記載の電子機器。
【請求項８】
前記抵抗の抵抗値は、前記交流電源の供給がある場合に比べて、前記交流電源の供給が無い場合に小さくなるように前記制御部によって可変制御される請求項７記載の電子機器。
【請求項９】
前記電源供給線は、ホット線と、アース線とを含み、
前記スイッチは、少なくとも前記ホット線を導通または遮断し、
前記電源線は、前記判定部及び前記検出部が接続された第１ラインと、該第１ラインとは異なる第２ラインとを含み、
該電子機器は、前記第１ラインを前記ホット線に接続し、前記第２ラインを前記アース線に接続するように前記電源線を切り換える極性切替部をさらに具備する請求項４乃至請求項８のいずれか一項記載の電子機器。
【請求項１０】
前記制御部は、前記電源線に加わる電圧レベルに応じて前記極性切替部を自動的に切り替える請求項９記載の電子機器。
【請求項１１】
前記出力部は、発光部である請求項１乃至請求項１０のいずれか一項記載の電子機器。
【請求項１２】
前記制御部は、前記交流電源から電力が供給される状態では第１発光モードで発光し、前記第２電源から電力が供給される状態では第２発光モードで発光するように前記発光部を制御する請求項１１記載の電子機器。
【請求項１３】
前記第２発光モードは、前記発光部を少なくとも１回点滅させる動作を含む請求項１２記載の電子機器。
【請求項１４】
機器外部のスイッチを介して接続される商用電源により駆動可能であるとともに、第２電源による駆動も可能である電子機器であって、
前記商用電源からの電圧の有無及び前記スイッチの導通状態に応じて駆動電源を制御する制御手段を備え、
前記制御手段は、
前記商用電源からの電圧が無い場合、前記スイッチを介して前記商用電源に接続されるラインを所定電圧とする設定部と、
前記ラインの電圧を測定し、前記商用電源からの電圧、前記所定電圧、あるいは他の電圧のいずれかを示す測定結果を出力する測定部と、
前記ラインの途中に設けられ、前記測定部の測定結果が前記商用電源からの電圧を示す場合、導通状態とされるスイッチング素子と、
を具備し、
前記制御手段は、
前記外部スイッチが導通状態であり、前記商用電源からの電圧がある場合、前記商用電源を駆動電源とし、
前記外部スイッチが導通状態であり、前記商用電源からの電圧が無い場合、前記第２電源を駆動電源とし、
前記外部スイッチが非導通状態である場合、駆動電源を遮断する電子機器。
【請求項１５】
機器外部のスイッチにより交流電源の供給及び遮断が切り替え可能な電子機器であって、
前記スイッチを介して交流電源に接続される端子と、
前記端子に所定電圧を印加する電圧印加部と、
前記端子に導通制御素子を介して接続される負荷と、
前記交流電源とは異なる第２電源と、
前記端子の電圧を検出する検出部と、
前記検出部の検出値に基づいて、前記導通制御素子の導通を制御するとともに、前記負荷に供給する電力を遮断する、前記交流電源からの電力を前記導通制御素子を介して前記負荷に供給する、または前記第２電源からの電力を前記負荷に供給する制御部と、
を具備する電子機器。
【請求項１６】
機器外部のスイッチにより交流電源に接続され、負荷の電源を制御する電子機器であって、
前記スイッチを介して交流電源に接続され、所定電圧が印加される端子と、
前記端子と前記負荷との間に接続される導通制御素子と、
前記端子の電圧を検出する検出部と、
前記検出部の検出値に基づいて、前記導通制御素子の導通を制御するとともに、前記負荷への電源供給を遮断する、前記交流電源を前記導通制御素子を介して前記負荷に接続する、または前記交流電源とは異なる第２電源を前記負荷に接続する制御部と、
を具備し、
前記端子は前記スイッチのオン・オフと、交流電源の停電の有無とに応じて少なくとも３つの電圧のいずれかを示す電子機器。
【請求項１７】
前記制御部は、
前記検出部が前記交流電源の電圧を検出する場合、前記導通制御素子を導通させるとともに、前記交流電源からの電力を前記負荷に供給し、
前記検出部が前記所定電圧を検出する場合、前記負荷に供給する電力を遮断し、
前記検出部が前記交流電源の電圧以外、かつ前記所定電圧以外の電圧を検出する場合、前記第２電源からの電力を前記負荷に供給する請求項１５または請求項１６記載の電子機器。
【請求項１８】
前記制御部は、前記導通制御素子と前記第２電源と前記負荷に接続され、前記導通制御素子と前記負荷とを接続する第１状態と、前記第２電源と前記負荷とを接続する第２状態と、前記負荷を前記導通制御素子と前記第２電源のいずれとも非接続とする第３状態のいずれかに設定される切替器を具備する請求項１７記載の電子機器。
【請求項１９】
前記端子は、前記スイッチが途中に設けられる電源供給線を介して前記交流電源に接続され、
前記電源供給線は、ホット線と、アース線とを含み、
前記スイッチは、少なくとも前記ホット線を導通または遮断する請求項１５乃至請求項１８のいずれか一項記載の電子機器。
【請求項２０】
前記電圧印加部は、前記第２電源から供給された電力に基づいて前記所定電圧を生成する請求項１５乃至請求項１９のいずれか一項記載の電子機器。
【請求項２１】
前記検出部は、所定時間内の前記端子の電圧変化を検出することにより前記交流電源の電圧を検出する請求項１５乃至請求項２０のいずれか一項記載の電子機器。
【請求項２２】
前記負荷は、発光部である請求項１５乃至請求項２１のいずれか一項記載の電子機器。
【請求項２３】
前記発光部は、前記交流電源からの電力が前記負荷に供給される場合、第１発光モードで発光し、前記第２電源からの電力が前記負荷に供給される場合、第２発光モードで発光する請求項２２記載の電子機器。
【請求項２４】
前記第１発光モードの発光は連続発光を含み、前記第２発光モードの発光は少なくとも１回の点滅を含む請求項２３記載の電子機器。
【請求項２５】
前記導通制御素子は、リレーまたはトランジスタからなる請求項１５乃至請求項２４のいずれか一項記載の電子機器。
【手続補正書】
【提出日】平成27年5月28日(2015.5.28)
【手続補正１】
【補正対象書類名】特許請求の範囲
【補正対象項目名】全文
【補正方法】変更
【補正の内容】
【特許請求の範囲】
【請求項１】
機器外部のスイッチで交流電源の供給及び遮断が切り替え可能な電子機器であって、
前記交流電源の供給の有無を判定する判定部と、
前記スイッチの導通状態を検出する検出部と、
前記交流電源とは異なる第２電源と、
出力部と、
前記判定部の出力及び前記検出部の出力に基づいて、前記出力部に供給する電力を遮断する、前記交流電源からの電力を前記出力部に供給する、または前記第２電源からの電力を前記出力部に供給する制御部と、
を具備し、
該電子機器は、前記スイッチを介して前記交流電源から電力が供給される電源供給線に接続され、
前記検出部は、前記判定部が前記交流電源の供給が無いと判定した場合、前記電源供給線に所定電圧を加えるとともに、前記電源供給線の電圧を検出することにより、前記電源供給線を介して前記スイッチの導通状態を検出し、
前記制御部は、前記検出部が前記電源供給線の電圧が前記所定電圧であることを検出する場合、前記出力部に供給する電力を遮断し、前記判定部が前記交流電源の供給が無いと判定し、前記検出部が前記電源供給線の電圧が前記所定電圧であることを検出しない場合、前記第２電源からの電力を前記出力部に供給する電子機器。
【請求項２】
機器外部のスイッチで交流電源の供給及び遮断が切り替え可能な電子機器であって、
前記交流電源の供給の有無を判定する判定部と、
前記スイッチの導通状態を検出する検出部と、
前記交流電源とは異なる第２電源と、
出力部と、
前記判定部の出力及び前記検出部の出力に基づいて、前記出力部に供給する電力を遮断する、前記交流電源からの電力を前記出力部に供給する、または前記第２電源からの電力を前記出力部に供給する制御部と、
を具備し、
該電子機器は、前記スイッチを介して前記交流電源から電力が供給される電源供給線に接続され、
前記検出部は、前記判定部が前記交流電源の供給が無いと判定した場合、前記電源供給線に所定電圧を加えるとともに、前記電源供給線の電圧を検出することにより、前記電源供給線を介して前記スイッチの導通状態を検出するものであって、前記所定電圧に比べて前記電源供給線の電圧の検出結果が所定以上低い場合、前記スイッチが導通状態にあることを検出する電子機器。
【請求項３】
機器外部のスイッチで交流電源の供給及び遮断が切り替え可能な電子機器であって、
前記交流電源の供給の有無を判定する判定部と、
前記スイッチの導通状態を検出する検出部と、
前記交流電源とは異なる第２電源と、
出力部と、
前記判定部の出力及び前記検出部の出力に基づいて、前記出力部に供給する電力を遮断する、前記交流電源からの電力を前記出力部に供給する、または前記第２電源からの電力を前記出力部に供給する制御部と、
を具備し、
該電子機器は、前記スイッチを介して前記交流電源から電力が供給される電源供給線に接続され、
前記検出部は、前記判定部が前記交流電源の供給が無いと判定した場合、前記電源供給線に所定電圧を加えるとともに、前記電源供給線の電圧を検出することにより、前記電源供給線を介して前記スイッチの導通状態を検出し、
前記電源供給線は、ホット線と、アース線とを含み、
前記スイッチは、少なくとも前記ホット線を導通または遮断し、
該電子機器は、
前記ホット線及び前記アース線に接続される電源線と、
前記検出部が前記電源線を介して前記ホット線に前記所定電圧を加える場合、前記電源線と前記アース線との間の導通状態を変更するスイッチング素子と、
を具備する電子機器。
【請求項４】
機器外部のスイッチで交流電源の供給及び遮断が切り替え可能な電子機器であって、
前記交流電源の供給の有無を判定する判定部と、
前記スイッチの導通状態を検出する検出部と、
前記交流電源とは異なる第２電源と、
出力部と、
前記判定部の出力及び前記検出部の出力に基づいて、前記出力部に供給する電力を遮断する、前記交流電源からの電力を前記出力部に供給する、または前記第２電源からの電力を前記出力部に供給する制御部と、
を具備し、
該電子機器は、前記スイッチを介して前記交流電源から電力が供給される電源供給線に接続される電源線をさらに具備し、
前記検出部は、前記判定部が前記交流電源の供給が無いと判定した場合、前記電源供給線を介して前記スイッチの導通状態を検出するものであって、
前記電源線の途中に設けられ、前記判定部が前記交流電源の供給が無いと判定した場合、開放されるリレーと、
前記リレーと前記スイッチとの間で前記電源線を所定電位に設定する電位設定部と、
前記電位設定部が設定した電位に基づいて前記スイッチの導通状態を検出する電位検出部とを具備する電子機器。
【請求項５】
前記電位設定部は、前記第２電源から電力が供給される請求項４記載の電子機器。
【請求項６】
前記判定部は、前記電源線の電圧変化を検出する電圧変化検出部を具備し、所定時間内の前記電圧変化を検出することで前記交流電源の供給の有無を判定する請求項４または請求項５記載の電子機器。
【請求項７】
前記電位検出部及び前記電圧変化検出部は、
前記電源線に接続された抵抗と、
前記抵抗を流れる電流を検出して検出信号を前記制御部に出力するフォトカプラとを共用した請求項６記載の電子機器。
【請求項８】
前記抵抗の抵抗値は、前記交流電源の供給がある場合に比べて、前記交流電源の供給が無い場合に小さくなるように前記制御部によって可変制御される請求項７記載の電子機器。
【請求項９】
前記電源供給線は、ホット線と、アース線とを含み、
前記スイッチは、少なくとも前記ホット線を導通または遮断し、
前記電源線は、前記判定部及び前記検出部が接続された第１ラインと、該第１ラインとは異なる第２ラインとを含み、
該電子機器は、前記第１ラインを前記ホット線に接続し、前記第２ラインを前記アース線に接続するように前記電源線を切り換える極性切替部をさらに具備する請求項４乃至請求項８のいずれか一項記載の電子機器。
【請求項１０】
前記制御部は、前記電源線に加わる電圧レベルに応じて前記極性切替部を自動的に切り替える請求項９記載の電子機器。
【請求項１１】
前記出力部は、発光部である請求項１乃至請求項１０のいずれか一項記載の電子機器。
【請求項１２】
前記制御部は、前記交流電源から電力が供給される状態では第１発光モードで発光し、前記第２電源から電力が供給される状態では第２発光モードで発光するように前記発光部を制御する請求項１１記載の電子機器。
【請求項１３】
前記第２発光モードは、前記発光部を少なくとも１回点滅させる動作を含む請求項１２記載の電子機器。
【請求項１４】
機器外部のスイッチを介して接続される商用電源により駆動可能であるとともに、第２電源による駆動も可能である電子機器であって、
前記商用電源からの電圧の有無及び前記機器外部のスイッチの導通状態に応じて駆動電源を制御する制御手段を備え、
前記制御手段は、
前記商用電源からの電圧が無い場合、前記機器外部のスイッチを介して前記商用電源に接続されるラインを所定電圧とする設定部と、
前記ラインの電圧を測定し、前記商用電源からの電圧、前記所定電圧、あるいは他の電圧のいずれかを示す測定結果を出力する測定部と、
前記ラインの途中に設けられ、前記測定部の測定結果が前記商用電源からの電圧を示す場合、導通状態とされるスイッチング素子と、
を具備し、
前記制御手段は、
前記機器外部のスイッチが導通状態であり、前記商用電源からの電圧がある場合、前記商用電源を駆動電源とし、
前記機器外部のスイッチが導通状態であり、前記商用電源からの電圧が無い場合、前記第２電源を駆動電源とし、
前記機器外部のスイッチが非導通状態である場合、駆動電源を遮断する電子機器。
【請求項１５】
機器外部のスイッチにより交流電源の供給及び遮断が切り替え可能な電子機器であって、
前記スイッチを介して交流電源に接続される端子と、
前記端子に所定電圧を印加する電圧印加部と、
前記端子に導通制御素子を介して接続される負荷と、
前記交流電源とは異なる第２電源と、
前記端子の電圧を検出する検出部と、
前記検出部の検出値に基づいて、前記導通制御素子の導通を制御するとともに、前記負荷に供給する電力を遮断する、前記交流電源からの電力を前記導通制御素子を介して前記負荷に供給する、または前記第２電源からの電力を前記負荷に供給する制御部と、
を具備する電子機器。
【請求項１６】
機器外部のスイッチにより交流電源に接続され、負荷の電源を制御する電子機器であって、
前記スイッチを介して前記交流電源に接続され、所定電圧が印加される端子と、
前記端子と前記負荷との間に接続される導通制御素子と、
前記端子の電圧を検出する検出部と、
前記検出部の検出値に基づいて、前記導通制御素子の導通を制御するとともに、前記負荷への電源供給を遮断する、前記交流電源を前記導通制御素子を介して前記負荷に接続する、または前記交流電源とは異なる第２電源を前記負荷に接続する制御部と、
を具備し、
前記端子は前記スイッチのオン・オフと、前記交流電源の停電の有無とに応じて少なくとも３つの電圧のいずれかを示す電子機器。
【請求項１７】
前記制御部は、
前記検出部が前記交流電源の電圧を検出する場合、前記導通制御素子を導通させるとともに、前記交流電源からの電力を前記負荷に供給し、
前記検出部が前記所定電圧を検出する場合、前記負荷に供給する電力を遮断し、
前記検出部が前記交流電源の電圧以外、かつ前記所定電圧以外の電圧を検出する場合、前記第２電源からの電力を前記負荷に供給する請求項１５または請求項１６記載の電子機器。
【請求項１８】
前記制御部は、前記導通制御素子と前記第２電源と前記負荷に接続され、前記導通制御素子と前記負荷とを接続する第１状態と、前記第２電源と前記負荷とを接続する第２状態と、前記負荷を前記導通制御素子と前記第２電源のいずれとも非接続とする第３状態のいずれかに設定される切替器を具備する請求項１７記載の電子機器。
【請求項１９】
前記端子は、前記スイッチが途中に設けられる電源供給線を介して前記交流電源に接続され、
前記電源供給線は、ホット線と、アース線とを含み、
前記スイッチは、少なくとも前記ホット線を導通または遮断する請求項１５乃至請求項１８のいずれか一項記載の電子機器。
【請求項２０】
前記電圧印加部は、前記第２電源から供給された電力に基づいて前記所定電圧を生成する請求項１５記載の電子機器。
【請求項２１】
前記検出部は、所定時間内の前記端子の電圧変化を検出することにより前記交流電源の電圧を検出する請求項１５乃至請求項２０のいずれか一項記載の電子機器。
【請求項２２】
前記負荷は、発光部である請求項１５乃至請求項２１のいずれか一項記載の電子機器。
【請求項２３】
前記発光部は、前記交流電源からの電力が前記負荷に供給される場合、第１発光モードで発光し、前記第２電源からの電力が前記負荷に供給される場合、第２発光モードで発光する請求項２２記載の電子機器。
【請求項２４】
前記第１発光モードの発光は連続発光を含み、前記第２発光モードの発光は少なくとも１回の点滅を含む請求項２３記載の電子機器。
【請求項２５】
前記導通制御素子は、リレーまたはトランジスタからなる請求項１５乃至請求項２４のいずれか一項記載の電子機器。